(57)【要約】      （修正有）【課題】消費者が認識しやすく、十分量の製品情報を伝達できる容器包装を提供する。【解決手段】物を収容する筒状容器３を有する容器包装であって、筒状容器の側周面に巻きつける帯状の帯体５と、筒状容器の側周面に、筒状容器を開閉するための開閉手段７とを備え、帯体は、一端が筒状容器の側周面に繋がっていて、開閉手段が隠れるように筒状容器の側周面に巻きつけられ、筒状容器に接する側の表面に製品情報を表示する情報表示エリア１５を有する。【選択図】図１
0003211614.tif 000002
【実用新案登録請求の範囲】
【請求項１】
物を収容する筒状容器を有する容器包装であって、
前記筒状容器の側周面に巻きつける帯状の帯体と、
前記筒状容器の側周面に、当該筒状容器を開閉するための開閉手段とを備え、
前記帯体は、
一端が前記筒状容器の側周面に繋がっていて、
前記開閉手段が隠れるように前記筒状容器の側周面に巻きつけられ、
前記筒状容器に接する側の表面に情報を表示する情報表示エリアを有する、容器包装。
【請求項２】
前記帯体は、前記情報表示エリアと前記側周面との間に、切り離し用のミシン目をさらに有する、請求項１記載の容器包装。
【請求項３】
前記帯体は、前記情報表示エリアと前記ミシン目との間に、貼付部をさらに有する、請求項２記載の容器包装。
【考案の詳細な説明】
【技術分野】
【０００１】
本考案は、製品を収容する筒状容器を有する容器包装に関するものである。
【背景技術】
【０００２】
容器包装には、内容物の品質保持機能だけでなく、製品名、製品に関する説明、又は、宣伝広告等（以下、まとめて「製品情報」という。）を表示する情報伝達機能もある（特許文献１及び２）。
【０００３】
昨今、消費者は製品の安全性を確認するために、より多くの製品情報を求める傾向にある。この傾向は、特に食品分野において顕著である。食品表示法で義務付けられている表示以外にも、例えば製造者の氏名、顔写真、又は、メッセージ等の消費者の安心感や購買意欲の向上を目的とした製品情報が表示されることが増えている。しかしながら、容器包装の表面積が小さい場合は、表示できる情報量やデザインが制限されてしまう。
【０００４】
そこで、筒側周面に巻き付ける帯体を有する筒状容器が提案されている（特許文献１）。この筒状容器に巻き付けられている帯体を展開させると、その帯体の表面が、十分量の製品情報を表示した面として現れる。
【先行技術文献】
【特許文献】
【０００５】
【特許文献１】特許第５８１１６８４号公報
【特許文献２】特許第５８２１３８６号公報
【特許文献３】特開２００３−２６７４４２号公報
【考案の概要】
【考案が解決しようとする課題】
【０００６】
しかしながら、特許文献１に記載の容器では、帯体を展開させなくても筒状容器に製品を出し入れ可能であるため、帯体に表示された製品情報が消費者の目に触れないおそれがある。
【０００７】
本考案は、上記事情に鑑みてなされたものであって、消費者が認識しやすく、十分量の情報伝達ができる容器包装を提供することを目的とする。
【課題を解決するための手段】
【０００８】
本考案の第１の観点は、物を収容する筒状容器を有する容器包装であって、前記筒状容器の側周面に巻きつける帯状の帯体と、前記筒状容器の側周面に、当該筒状容器を開閉するための開閉手段とを備え、前記帯体は、一端が前記筒状容器の側周面に繋がっていて、前記開閉手段が隠れるように前記筒状容器の側周面に巻きつけられ、前記筒状容器に接する側の表面に情報を表示する情報表示エリアを有する、容器包装である。
【０００９】
本考案の第２の観点は、第１の観点の容器包装であって、前記帯体は、前記情報表示エリアと前記側周面との間に、切り離し用のミシン目をさらに有する。
【００１０】
本考案の第３の観点は、第２の観点の容器包装であって、前記帯体は、前記情報表示エリアと前記ミシン目との間に、貼付部をさらに有する。
【考案の効果】
【００１１】
本考案の各観点によれば、消費者が認識しやすく、且つ、多くの製品情報を表示できる容器包装を提供することが可能になる。帯体が筒状容器に巻き付けられている状態では、開閉手段が帯体によって隠されている。よって、筒状容器を開閉するためには、巻き付けていた帯体を全て広げた状態にする必要がある。そのため、帯体を広げる動作を行う間、情報表示エリアに表示された製品情報等が消費者の視界に入りやすい。
【００１２】
筒状容器の開閉手段としては、例えば茶筒のように、筒状容器が長手方向に二分割されていて、長手方向のいずれか一端が取り外し可能な蓋となっていることが一般的である。また、筒状容器の開閉手段は、筒の側周面ではなく上面又は底面に設けることが一般的である。これは、側周面を下にすると容器が転がりやすくなるためである。このような阻害要因が存在する中で、あえて筒状容器の側周面に開閉手段を設けた点は、本考案の技術的特徴のひとつである。
【００１３】
また、消費者に対して、情報表示エリア１５に記載された一定の情報を伝えた後に、筒状容器３に収容された商品を使用させることが可能となる。
【００１４】
さらに、筒状容器に巻き付けていた帯体には折り跡がつきにくいため読みやすい。さらに、情報量に応じて情報表示エリアの拡張も容易である。
【００１５】
本考案の第２の観点によれば、巻きつけていた帯体を全て広げた後に、筒状容器から帯体を切り離すことができる。
【図面の簡単な説明】
【００１６】
【図１】本考案にかかる容器包装の斜視図である。
【図２】本考案にかかる容器包装の帯体を巻き付けた状態の正面図である。
【図３】本考案にかかる容器包装の帯体を展開させた状態の正面図及び底面図である。
【図４】本考案にかかる容器包装の展開図である。
【考案を実施するための形態】
【００１７】
以下、図面を参照して、本考案の実施例について述べる。なお、本考案の実施の形態は、以下の実施例に限定されるものではない。
【実施例１】
【００１８】
まず、図１から図４を参照して、本実施例に係る容器包装１（本願請求項に記載の「容器包装」の一例）の構造について説明する。
【００１９】
図１は、本考案にかかる容器包装１の斜視図である。容器包装１は、筒状容器３（本願請求項に記載の「筒状容器」の一例）と帯体５（本願請求項に記載の「帯体」の一例）と、開閉手段７（本願請求項に記載の「開閉手段」の一例）とを備えている。筒状容器３は、第１ツメ１７を有する。帯体５は、情報表示エリア１５（本願請求項に記載の「情報表示エリア」の一例）と、第２ツメ１９と、ミシン目２１（本願請求項に記載の「ミシン目」の一例）とを有する。第１ツメ１７と第２ツメ１９とは、併せて開閉手段７を構成している。
【００２０】
図２は、本考案にかかる容器包装１の帯体５を巻き付けた状態の正面図である。図２に示すように、容器包装１は、帯体５を巻き付けた状態で保つバンド８をさらに備える。また、帯体５は、筒状容器３に巻かれた状態で表面の中央部に例えば製品名を表示する表示部９をさらに有する。
【００２１】
図３は、本考案にかかる容器包装１の帯体５を展開させた状態の（ａ）正面図及び（ｂ）底面図である。図４は、本考案にかかる容器包装１の展開図である。なお、図３及び図４は、帯体５の中央部を省略して表示している。
【００２２】
図３及び図４に示すように、筒状容器３は、底面１０と上面１１と側周面１３（本願請求項に記載の「側周面」の一例）からなる円筒状である。また、図１に示すように側周面上の開閉手段７により開閉することができる。帯体５は、帯状であり、一端（本願請求項に記載の「一端」の一例）が筒状容器３の側周面に繋がっている。また、帯体５の筒状容器５に接する側の表面には、製品情報等を表示するための情報表示エリア１５がある。
【００２３】
開閉手段７は、第１ツメ１７と第２ツメ１９からなり、第１ツメ１７と第２ツメ１９を掛け合わせることで筒状容器３を閉じた状態にできる。巻きつけていた帯体５を広げる過程において筒状容器３が回転しても、開閉手段７により閉じられているため、収容物２３（本願請求項に記載の「物」の一例）が飛び出るおそれがない。
【００２４】
本実施例に係る容器包装１を用いることにより、消費者に多くの情報を伝えることが容易となる。例えば、筒状容器３に加工食品を入れ、容器包装１を弁当容器として使用する場合には、従来の弁当容器に比べ、弁当に関する情報をより多く効果的に消費者に伝達することが容易となる。なお、ここでいう消費者とは、容器包装１が用いられた商品の消費者であり、購入者又は使用者といってもよい。
【００２５】
従来の弁当容器においては、表面に商品名が記載され、裏面に食品表示法により義務付けられた食品表示等が表示されていることが多い。また、お品書きや製造者の紹介文などの情報については、弁当容器の表面には記載しきれず、別添えの用紙に記載されることがあった。視認性の観点からは、表面は自然と視界に入るが、視界に入りにくい弁当容器の裏面や別添えの冊子に表示された内容に注目を集めるには、デザインに工夫が必要であった。
【００２６】
本考案にかかる容器包装１は、そのような従来の弁当容器に比べ、表面の他にも視認性の良い表示場所が多い。筒状容器に巻きつけていた帯体５を広げてから帯体５にくるまれていた開閉手段７に到達する間に、消費者の視線を情報表示エリア１５に自然に誘導できるためである。
【００２７】
例えば、情報表示エリア１５に弁当の具材に由来する地域の民話を記載しておけば、民話を読んだ後に筒状容器３に収容された弁当を賞味してもらうことができる。このように、消費者に対して、情報表示エリア１５に記載された一定の情報を伝えた後に、筒状容器３に収容された商品を使用させることが可能となる。
【００２８】
また、円筒形の筒状容器３に巻きつける帯体５には折り跡がつかない。そのため、情報表示エリア１５の内容が読みやすい。
【００２９】
また、本考案にかかる容器包装１は、筒状容器３と帯体５が一体となっているため、開封時にごみが発生せず、電車内の机のように限られたスペースでの食事する際の容器として好ましい。
【００３０】
さらに、帯体５は、情報表示エリア１５と筒状容器３の側周面との間であって、筒状容器３との接続部付近に切り離し用のミシン目２１を有している。このミシン目２１により、帯体５を筒状容器３から切り離すことで、例えば購入者が収集目的で情報表示エリア１５をコンパクトに保存することが容易となる。また、例えば、情報表示エリア１５が長大である場合であっても、筒状容器３を切り離して食べながら読むことが容易となる。
【００３１】
なお、開閉手段７は、筒状容器３の構成要素である第１ツメ１７と帯体５の構成要素である第２ツメ１９からなるものでなくともよい。具体的には、筒状容器３の側面にあって帯体５にくるまれていれば、筒状容器３が単独で開閉手段を有するものであってもよい。
【００３２】
また、ミシン目２１で切り離された情報表示エリア１５は、複数集めると互いに両面テープ又は他の手段で接続可能であるようにしてもよい。例えば、情報表示エリア１５とミシン目２１との間に、両面テープで接続するための貼付用エリア（本願請求項に記載の「貼付部」の一例）があってもよい。駅弁と関連させるように各地域の民話のバリエーションで商品群を全国展開した場合、消費者が各地を旅した記録として、旅した順番に自分の絵巻を作成することが可能となる。しかも、お弁当の消費期限が製造当日であれば、お弁当の製造年月日を示すスタンプを情報表示エリア１５に表示することにより、消費者にとっては旅先を訪れた日付を示す記録ともなる。
【００３３】
さらに、筒状容器３に収容される商品は、さらに保護ビニールのような別の包装手段に包まれていてもよい。これにより、情報表示エリア１５への汁漏れやシミを防ぐことが容易となる。ただし、帯体５に巻かれる構造であるため、そもそも汁漏れしにくい商品である方が好ましい。
【００３４】
さらに、筒状容器３に収容される商品は、弁当に限らず消費期限の長く分量の多いお菓子等の他のものであってもよい。これにより、一度に食べきれずに複数回に分けて食べることが想定されるため、民話等の情報表示エリア１５に表示される情報と商品の組み合わせの体験を複数回に増やすことが容易となる。
【００３５】
さらに、筒状容器の形状は、上記実施例では円筒形としたが、円に近い多角形筒等の多面体でもよい。また、筒状容器の材質は、ガラス、プラスチック、金属、又は、紙など用途に応じて任意に選択して良い。
【００３６】
さらに、帯体は、例えば紙や布など、柔軟性を有していて巻き付けることができる素材であれば良い。
【符号の説明】
【００３７】
１・・・容器包装、３・・・筒状容器、５・・・帯体、７・・・開閉手段、８・・・バンド、９・・・製品名、１０・・・底面、１１・・・上面、１３・・・側周面、１５・・・情報表示エリア、１７・・・第１ツメ、１９・・・第２ツメ、２１・・・ミシン目、２３・・・収容物
【図１】
0003211614.tif 000003
【図２】
0003211614.tif 000004
【図３】
0003211614.tif 000005
【図４】
0003211614.tif 000006